(57)【要約】【課題】組立・設置作業及び解体・撤去作業を円滑かつ迅速に行うことができると共に、使用しない際にはコンパクトに収納しておくことができ、鳥獣類による被害を確実に防止することができる防御網装置を提供する。【解決手段】枠体１０と、枠体１０に取付けられる網状部材５０を有し、枠体１０は、支柱と、支柱の上部に、支柱を支点として揺動可能に取付けられ、支柱から放射状に延出する複数の骨部材１２Ａ〜１２Ｄと、骨部材１２Ａ〜１２Ｄが、支柱に対し所定の角度まで揺動した際に揺動を停止させ、骨部材１２Ａ〜１２Ｄをその位置に維持させるストッパ部材を有し、網状部材５０は、骨部材１２Ａ〜１２Ｄに着脱可能に取付けられる。【選択図】図１
0003131895.tif 000002
【実用新案登録請求の範囲】
【請求項１】
枠体と、当該枠体に取付けられる網状部材とを有し、対象物を当該網状部材で包囲して鳥獣類から防御する防御網装置であって、
前記枠体は、
支柱と、
前記支柱の上部に、該支柱を支点として揺動可能に取付けられ、当該支柱から放射状に延出する複数の骨部材と、
前記複数の骨部材が、当該支柱に対し所定の角度まで揺動した際に、当該揺動を停止させ、前記骨部材をその位置に維持させるストッパ部材と、
を有し、
前記網状部材は、前記複数の骨部材に着脱可能に取付けられてなる防御網装置。
【請求項２】
前記複数の骨部材は、互いに連動して揺動する請求項１記載の防御網装置。
【請求項３】
枠体と、当該枠体に取付けられる網状部材とを有し、対象物を当該網状部材で包囲して鳥獣類から防御する防御網装置であって、
前記枠体は、
支柱と、
前記支柱の上部に着脱可能に取り付けられ、当該支柱から放射状に延出する複数の骨部材と、
を有し、
前記網状部材は、前記複数の骨部材に着脱可能に取付けられてなる防御網装置。
【請求項４】
前記支柱は、長さを変更可能である請求項１ないし請求項３のいずれか一項に記載の防御網装置。
【請求項５】
前記支柱は、前記骨部材が取付けられる第１の支柱と、当該第１の支柱に着脱可能に連結され且つ当該第１の支柱を支持する第２の支柱と、を備えてなる請求項１ないし請求項４のいずれか一項に記載の防御網装置。
【請求項６】
前記網状部材は、前記複数の骨部材に張設される第１の網状部材と、第１の網状部材の下端に連結されて下垂する第２の網状部材と、を備えてなる請求項１ないし請求項５のいずれか一項に記載の防御網装置。
【請求項７】
前記支柱を前記対象物に着脱可能に固定する第１の固定部材をさらに備えた請求項１ないし請求項６のいずれか一項に記載の防御網装置。
【請求項８】
前記網状部材の下端部を、前記対象物が載置された載置面に固定する第２の固定部材をさらに備えた請求項１ないし請求項７のいずれか一項に記載の防御網装置。
【考案の詳細な説明】
【技術分野】
【０００１】
本考案は、果樹園、田畑、ゴミ集積所、養殖池等が、鳥獣類により被害を受けることを防止する防御網装置に関する。
【背景技術】
【０００２】
従来から、果樹園、田畑、ゴミ集積所、養殖池等が、鳥獣類により被害を受けることを防止する手段として、様々な防御網装置が紹介されている。例えば、キャップ下部に通過口を設け、ツル、枝葉がキャップ内外へ成長できるようにし、キャップは太陽光及び通気性を持たせるため、網目もしくは穴構造をなし、カラスのような屈強な嘴から守られる材質で、キャップが飛ばされないように、脚は抜け防止ピンを使用して確実に固定するようにしたものがある。また、この鳥害防止装置は、キャップ表面及び頂上に光反射鏡を配置して、鳥を近づきにくくしており、畑の中にまばらに点在する果実を、最小の資材と労力で効果的に鳥から守ろうとするものである。（例えば、特許文献１参照）。
【０００３】
また、開放切り込み部を有した笠状キャップの内側に足の長さの異なる２つのリブ体を設け、その短い方のリブ体は筒状胴体の上部に設けられた受座の長穴に挿入され、長い方のリブ体は筒状胴体の内側に挿入されることを特長とする防鳥ネット支柱用キャップも紹介されている。（例えば、特許文献２参照）。
【特許文献１】特開２００３−２３５４３５号公報
【特許文献２】実用新案登録第３０９１４１５号公報
【考案の開示】
【考案が解決しようとする課題】
【０００４】
しかしながら、特許文献１に記載された鳥害防止装置は、キャップの形状が大きくなるため高価であり、また設置するのに非常に労力が大きく、簡単に取り外すこともできないので、取り扱いが煩雑である。
【０００５】
また、特許文献２に記載された防鳥ネットは、支柱を挿入するキャップに縦横方向から架設する支線を貫通させてこれを下方から支柱を差し込んで張り支えるようにしていたものであるから、網体の円滑かつ迅速な張設は困難で、組立てるためには時間と手数がかかっていた。
【０００６】
ここで、特に果樹園等では、鳥害防止装置や防鳥ネットのような防御網装置によって果樹を保護する必要がある期間は、主に、果樹に実が付き始めて収穫できるようになるまでの期間である。言い換えれば、果樹に実が付いていない時期には、防御網装置によって果樹を保護しなくてもよく、防御網装置を使用しない時期には、防御網装置をコンパクトに収納できることが望まれている。また、防御網装置を使用する際には、防御網装置の組立及び設置作業を簡単に行うことが望まれており、防御網装置の使用を停止する際には、解体及び撤去作業を簡単に行うことが望まれている。
【０００７】
本考案は、このような事情に鑑みなされたものであり、組立・設置作業及び解体・撤去作業を円滑かつ迅速に行うことができると共に、使用しない際にはコンパクトに収納しておくことができ、鳥獣類による被害を確実に防止することができる防御網装置を提供することを目的とする。
【課題を解決するための手段】
【０００８】
この目的を達成するために本考案は、枠体と、当該枠体に取付けられる網状部材とを有し、対象物を当該網状部材で包囲して鳥獣類から防御する防御網装置であって、前記枠体は、支柱と、前記支柱の上部に、該支柱を支点として揺動可能に取付けられ、当該支柱から放射状に延出する複数の骨部材と、前記複数の骨部材が、当該支柱に対し所定の角度まで揺動した際に、当該揺動を停止させ、前記骨部材をその位置に維持させるストッパ部材と、を有し、前記網状部材は、前記複数の骨部材に着脱可能に取付けられてなる防御網装置を提供するものである。
【０００９】
この構成を備えた防御網装置は、複数の骨部材が支柱に対し揺動可能に取付けられているため、当該支柱と骨部材とのなす角度が大きくなるように骨部材を揺動させることで、例えば、傘が開いた状態のようになり、網状部材によって対象物を覆うことができる。また、前記支柱と骨部材とのなす角度が小さくなるように骨部材を揺動させることで、例えば、傘が閉じた状態のようになり、防御網装置をコンパクトに畳むことができる。さらに、網状部材は、前記複数の骨部材に着脱可能に取付けられているため、防御網装置を使用しない際には、網状部材を骨部材から取外すことができるため、嵩張らず、コンパクトに収納・保管することができる。また、組立・設置作業及び解体・撤去作業の際に、重量が重くなることを防止することもできる。
【００１０】
前記複数の骨部材は、互いに連動して揺動するよう構成することができる。このように構成することで、前記骨部材を一度の操作で開いたり、閉じたりすることができる。このため、組立作業及び設置作業、あるいは分解作業及び撤去作業をさらに円滑かつ迅速に行うことができる。
【００１１】
また、本考案は、枠体と、当該枠体に取付けられる網状部材とを有し、対象物を当該網状部材で包囲して鳥獣類から防御する防御網装置であって、前記枠体は、支柱と、前記支柱の上部に着脱可能に取り付けられ、当該支柱から放射状に延出する複数の骨部材と、を有し、前記網状部材は、前記複数の骨部材に着脱可能に取付けられてなる防御網装置を提供するものである。
【００１２】
この構成を備えた防御網装置は、複数の骨部材が支柱の上部に取り付けられた際に、当該支柱から放射状に延出するため、網状部材によって対象物を覆うことができる。また、防御網装置で対象物を鳥獣類から防御する必要がない場合は、前記支柱から骨部材を取外すことができるため、防御網装置をコンパクトに収納することができる。さらに、網状部材は、前記複数の骨部材に着脱可能に取付けられているため、防御網装置を使用しない際には、網状部材を骨部材から取外すことができるため、嵩張らず、コンパクトに収納・保管することができる。また、組立・設置作業及び解体・撤去作業の際に、重量が重くなることを防止することもできる。
【００１３】
また、本考案にかかる防御網装置の支柱は、長さを変更可能とすることができる。このように構成することで、様々な高さの対象物に応用することができ、汎用性を向上させることができる。
【００１４】
そしてまた、前記支柱は、前記骨部材が取付けられる第１の支柱と、当該第１の支柱の下端部に着脱可能に連結され、当該第１の支柱を支持する第２の支柱とを備えることができる。このようにすることで、前記利点に加え、防御網装置をさらにコンパクトに収納・保管することができる。また、組立作業及び設置作業、あるいは分解作業及び撤去作業をさらに簡単に行うことができる。
【００１５】
さらにまた、前記網状部材は、前記複数の骨部材に張設される第１の網状部材と、第１の網状部材の下端に連結されて下垂する第２の網状部材と、を備えることができる。このように構成することで、前記利点に加え、防御網装置をさらにコンパクトに収納・保管することができる。また、組立作業及び設置作業、あるいは分解作業及び撤去作業をさらに簡単に行うことができる。
【００１６】
また、本考案にかかる防御網装置は、前記支柱を前記対象物に着脱可能に固定する第１の固定部材をさらに備えることもできる。
【００１７】
そしてまた、本考案にかかる防御網装置は、前記網状部材の下端部を、前記対象物が載置された載置面に固定する第２の固定部材をさらに備えることもできる。このように構成することで、前記利点に加え、網状部材と前記載置面との間から鳥獣類が侵入することを防止することができる。
【考案の効果】
【００１８】
本考案にかかる防御網装置は、複数の骨部材が支柱に対し揺動可能に取付けられているため、当該支柱と骨部材とのなす角度を変更することで、骨部材を開いたり（拡げたり）閉じたりすることができる。また、網状部材は、前記複数の骨部材に取付けたり、取外したりすることができる。この結果、組立作業及び設置作業、あるいは分解作業及び撤去作業をさらに簡単に行うことができ、作業性が向上すると共に、コンパクトに収納・保管することができる。
【考案を実施するための最良の形態】
【００１９】
次に、本考案の好適な実施の形態にかかる防御網装置について図面を参照して説明する。なお、以下に記載される実施の形態は、本考案を説明するための例示であり、本考案をこれらの実施の形態にのみ限定するものではない。したがって、本考案は、その要旨を逸脱しない限り、様々な形態で実施することができる。
【００２０】
図１は、本考案の実施の形態にかかる防御網装置の斜視図、図２は、図１に示す防御網装置の構成要素である枠体の斜視図、図３は、図２に示す枠体の分解斜視図、図４は、図２に示す枠体の第１の支柱部分を閉じた状態を示す斜視図、図５は、図２に示す枠体の第１の支柱部分に第１の網状部材を取付けた状態を示す斜視図、図６は、図１に示す防御網装置の設置作業の途中を示す斜視図、図７は、図１に示す防御網装置の使用状態を示す斜視図である。
【００２１】
図１〜図７に示すように、本実施の形態にかかる防御網装置１は、枠体１０と、枠体１０に取付けられる網状部材５０とを備えて構成されている。
【００２２】
枠体１０は、第１の支柱１１と、第１の支柱１１の上部に取付けられた複数（本実施の形態では４本）の骨部材１２Ａ〜１２Ｄと、第１の支柱１１が着脱可能に取付けられる第２の支柱１３とを備えている。
【００２３】
第１の支柱１１は、第２の支柱１３の上部に形成された挿入孔１５（図２〜３参照）に挿脱可能に挿入され、この状態で第２の支柱１３に固定される。この第１の支柱１１は、挿入孔１５に侵入させる深さ（長さ）を調節することによって、第２の支柱１３から延出する長さを任意に変更することができる。これにより、枠体１０全体の長さを変更することができる。そして、第２の支柱１３から所定の長さで延出した第１の支柱１１は、この位置で、所望の固定部材によって固定される。
【００２４】
骨部材１２Ａ〜１２Ｄは、各々の一端が第１の支柱１１の上部に取付けられている。これらの骨部材１２Ａ〜１２Ｄは、互いに等間隔をおいて（本実施の形態では約９０度位相させて）配設されており、第１の支柱１１に対し揺動可能であると共に、第１の支柱１１から放射状に延出している。これらの骨部材１２Ａ〜１２Ｄの長さ方向の略中央部には、骨部材１２Ａ〜１２Ｄを支持すると共に、第１の支柱１１を支点として骨部材１２Ａ〜１２Ｄを揺動させる受骨１６Ａ〜１６Ｂが各々配設されている。
【００２５】
受骨１６Ａ〜１６Ｂは、骨部材１２Ａ〜１２Ｄに接続されている側とは反対側の端部が、ろくろ１７に固定されている。このろくろ１７は、第１の支柱１１を長手方向に移動可能となっている。また、ろくろ１７は、上部所定位置に到達した際、及び下部所定位置に到達した際に、ストッパ部材によって、その位置に停止させられて維持される。このストッパ部材は、特に図示しないが、例えば、ろくろ１７を第１の支柱１１に螺子止めする螺子と螺子孔から構成されていてもよく、第１の支柱１１に設けられ且つ第１の支柱１１に形成された収納部に弾性力によって進退する爪部材と、ろくろ１７に形成され当該爪部材が挿脱可能に挿入される孔から構成する等、種々の機構を採用することができる。このストッパ部材は、骨部材１２Ａ〜１２Ｄが、第１の支柱１１とのなす角度が大きくなるように所定の角度まで揺動した際に、この揺動を停止させ、骨部材１２Ａ〜１２Ｄをその位置に維持させて、骨部材１２Ａ〜１２Ｄを開いた状態（図１〜３、図５〜７に示す状態）で保持させることができる。また、骨部材１２Ａ〜１２Ｄが、第１の支柱１１とのなす角度が小さくなるように所定の角度まで揺動した際に、この揺動を停止させ、骨部材１２Ａ〜１２Ｄを閉じた状態（図４に示す状態）で保持させることができる。
【００２６】
第２の支柱１３は、上部に第１の支柱１１が挿脱可能に挿入される挿入孔１５が形成されている。この第２の支柱１３は、図６及び図７に示すように、固定部材２１によって対象物１００（本実施の形態では果樹）に固定してもよく、第２の支柱１３の下端にスタンド部材（図示せず）を設けて地面に対し支持してもよく、第２の支柱１３の下端を地面に埋め込んでもよい。また、これらの手段を併用してもよい。
【００２７】
網状部材５０は、骨部材１２Ａ〜１２Ｄに張設される第１の網状部材５１と、第１の網状部材５１の下端に連結されて下垂する第２の網状部材５２とを備えて構成されている。第１の網状部材５１は、特に図６に示すように、骨部材１２Ａ〜１２Ｄが開いた状態となった際に、略四角錐状を呈するように、骨部材１２Ａ〜１２Ｄに支持されている。なお、第２の網状部材５２は、例えば、金具、リング、紐、フック等の連結部材３１により第１の網状部材５１の下端に、着脱可能に連結される。この第２の網状部材５２の長さは、所望により決定することができる。
【００２８】
この網状部材５０は、所望のサイズの網目を有しているものが適宜選択される。また、鳥類が警戒する赤色や黄色を有するものを使用することで、鳥類が対象物１００に近づくことをさらに防御することができる。
【００２９】
この構成を備えた防御網装置１を用いて対象物１００（本実施の形態では果樹）を防御するには、先ず、骨部材１２Ａ〜１２Ｄに第１の網状部材５１を取付ける。次に、ろくろ１７を第１の支柱１１の上部に移動させ、ストッパ部材によってその位置に固定して、骨部材１２Ａ〜１２Ｄを開いた状態とする。この時、骨部材１２Ａ〜１２Ｄには、第２の網状部材５２が取付けられていないため、重くなることがなく、骨部材１２Ａ〜１２Ｄを小さな力で簡単に開くことができる。この動作により、第１の網状部材５１は、例えば、傘布のように開いた状態となる。
【００３０】
次いで、この第１の網状部材５１が開いた状態となった第１の支柱１１を対象物１００の幹に固定部材２１によって固定した第２の支柱１３の挿入孔１５内に挿入する。次に、対象物１００の高さに応じて、第２の支柱１３からの延出する第１の支柱１１の長さを決定し、第１の支柱１１をその位置で固定する。このようにして、図６に示す状態となる。このように、枠体１０が、第１の支柱１１と、第２の支柱１３から構成されているため、組立・設置作業の際に、長い支柱を振り回す必要がない。また、第１の支柱１１には、第２の網状部材５２が取付けられていないため、重量が嵩むことがない。したがって、組立・設置作業を簡単に行うことができる。
【００３１】
その後、連結部材３１によって、第１の網状部材５１の下端に第２の網状部材５２を連結し、図７に示す状態にして、対象物１００を防御網装置１によって包囲する。このように、第２の網状部材５２を、後から取付ければよいため、組立・設置作業を簡単に行うことができる。
【００３２】
この防御網装置１は、対象物１００に装着した後であっても、第２の網状部材５２を捲るあるいは潜る等して、作業者が簡単に内部に入ることができ、対象物１００の手入れをすることができる。また、第２の網状部材５２を、例えば、カーテンを開けるようにスライド可能に設置すれば、さらに内部に簡単に侵入することができる。そしてまた、第２の網状部材５２の所望位置に、例えば、のれんのように、上下方向に延びる切れ目を形成することでも、作業者が内部にさらに簡単に入ることができるようになる。
【００３３】
また、防御網装置１内には、鳥獣類が侵入することができず、防御網装置１によって包囲された対象物１００（果樹）は、鳥獣類の被害にあることが防止される。
【００３４】
一方、防御網装置１を撤去する際には、先ず、第２の網状部材５２を取外した後、ろくろ１７を第１の支柱１１の下部に移動させ、ストッパ部材によってその位置に固定して、骨部材１２Ａ〜１２Ｄを閉じた状態（図４参照）とする。この時、骨部材１２Ａ〜１２Ｄには、第２の網状部材５２が取付けられていないため、重くなることがなく、骨部材１２Ａ〜１２Ｄを小さな力で簡単に閉じることができる。
【００３５】
次に、第１の支柱１１と第２の支柱１３との固定を解除し、挿入孔１５内から第１の支柱１１を抜き出す。この時も、前述したように、第２の網状部材５２が骨部材１２Ａ〜１２Ｄに取付けられていないため、重くなることがなく、簡単に抜き出すことができる。その後、第２の支柱１３を対象物１００から取外せばよい。このように、解体・撤去作業を簡単に行うことができる。なお、第１の網状部材５１は、骨部材１２Ａ〜１２Ｄから取外してもよく、取付けた状態で骨部材１２Ａ〜１２Ｄに巻付けておいてもよい。このように、防御網装置１は、解体することができるため、コンパクトに収納することができる。
【００３６】
なお、本実施の形態では、４本の骨部材１２Ａ〜１２Ｄを配設した場合について説明したが、これに限らず、骨部材は、所望により３本であってもよく、５本以上であってもよい。
【００３７】
また、本実施の形態では、４本の骨部材１２Ａ〜１２Ｄを、第１の支柱１１に対し揺動可能に取付けた場合について説明したが、これに限らず、例えば、図８及び図９に示すように、４本の骨部材１２Ａ〜１２Ｄを第１の支柱１１から放射状に延出するように、第１の支柱１１に着脱可能に取付けてもよい。この構成の防御網装置１は、複数の骨部材１２Ａ〜１２Ｄが第１の支柱１１の上部に取り付けられた際に第１の支柱１１から放射状に延出するため、網状部材５０によって対象物１００を覆うことができる。また、防御網装置１で対象物１００を鳥獣類から防御する必要がない場合は、第１の支柱１１から骨部材１２Ａ〜１２Ｄを取外すことができるため、防御網装置１をコンパクトに収納することができる。
【００３８】
そしてまた、本実施の形態にかかる防御網装置１は、第２の網状部材５２の下端部を所望の固定部材を用いて対象物１００が載置された載置面（本実施の形態の場合は、対象物１００が埋められた地面）に固定することもできる。具体的には、例えば、図１０に示すように、第２の網状部材５２の下端部の網目を、フック型の固定部材７０のフック部で引っ掛ける等して、フック型の固定部材７０の下端を地面に埋め込むことで、第２の網状部材５２の下端部を地面に簡単に固定することができる。このようにすることで、第２の網状部材５２の下端と、地面との間から鳥獣類が侵入することを確実に防止することができる。
【００３９】
また、本考案にかかる対象物としては、果樹の他、果樹以外の樹木、苗木、草花、草本作物、あるいは、ゴミ集積所、養殖池等、様々なものが挙げられる。
【図面の簡単な説明】
【００４０】
【図１】本考案の実施の形態にかかる防御網装置の斜視図である。
【図２】図１に示す防御網装置の構成要素である枠体の斜視図である。
【図３】図２に示す枠体の分解斜視図である。
【図４】図２に示す枠体の第１の支柱部分を閉じた状態を示す斜視図である。
【図５】図２に示す枠体の第１の支柱部分に第１の網状部材を取付けた状態を示す斜視図である。
【図６】図１に示す防御網装置の設置作業の途中を示す斜視図である。
【図７】図１に示す防御網装置の使用状態を示す斜視図である。
【図８】本考案の他の実施の形態にかかる防御網装置の構成要素である枠体の斜視図である。
【図９】本考案の他の実施の形態にかかる防御網装置の使用状態を示す斜視図である。
【図１０】本考案の他の実施の形態にかかる防御網装置の斜視図である。
【符号の説明】
【００４１】
１      防御網装置
１０    枠体
１１    第１の支柱
１２Ａ〜１２Ｄ    骨部材
１３    第２の支柱
１６Ａ〜１６Ｄ    受骨
５０    網状部材
５１    第１の網状部材
５２    第２の網状部材
７０    フック型の固定部材
１００  対象物
【図１】
0003131895.tif 000003
【図２】
0003131895.tif 000004
【図３】
0003131895.tif 000005
【図４】
0003131895.tif 000006
【図５】
0003131895.tif 000007
【図６】
0003131895.tif 000008
【図７】
0003131895.tif 000009
【図８】
0003131895.tif 000010
【図９】
0003131895.tif 000011
【図１０】
0003131895.tif 000012